(57)【要約】【課題】複数の帽子の収納及び移動が簡単に行えると共に防塵性を高めた帽子用ラックを提供する。【解決手段】把手５Ａ，５Ｂを有した天板部２及び天板部２と同サイズの仕切部３Ａ〜３Ｃが、上下方向に所定間隔に配設されている。天板部２及び仕切部３Ａ〜３Ｃに対して、布等による側壁部４が帽子の出し入れ口以外を閉鎖するように設けられている。帽子の収納は、仕切部３Ａ〜３Ｃの上面に置くのみで達成される。【選択図】図２
0003152630.tif 000002
【実用新案登録請求の範囲】
【請求項１】
上下方向に所定間隔に配設されると共に、それぞれの上面に帽子が収納される複数の仕切部と、
前記複数の仕切部の上方に配置されると共に上面に吊り下げ用の部材が設けられた天板部と、
前記天板部及び前記複数の仕切部を所定間隔に位置決めすると共に帽子の出し入れ口以外を閉鎖するように設けられた側壁部と、を有することを特徴とする帽子用ラック。
【請求項２】
請求項１に記載の帽子用ラックにおいて、
前記天板部及び前記仕切部は、型崩れしない構造を有することを特徴とする帽子用ラック。
【請求項３】
請求項１に記載の帽子用ラックにおいて、
前記側壁部は、可撓性を有する素材からなることを特徴とする帽子用ラック。
【請求項４】
請求項３に記載の帽子用ラックにおいて、
前記可撓性を有する素材は、布、皮革及びビニールシートのうち、１種類以上を含むことを特徴とする帽子用ラック。
【請求項５】
請求項１に記載の帽子用ラックにおいて、
前記側壁部は、前記仕切部単位で前記仕切部に個別に設けられ、上下方向に相互に連結可能にされていることを特徴とする帽子用ラック。
【考案の詳細な説明】
【技術分野】
【０００１】
本考案は、各種の帽子を形崩れさせずに保管する帽子用ラックに関する。
【背景技術】
【０００２】
家庭における帽子の保管は、壁等に設けられたフックや帽子掛けに掛けるのが一般的である。更に、複数の帽子をまとめて保管又は収納する場合、一般に、１つ毎に紙箱に収納して積み重ねて置く、帽子を重ねた状態で平らな場所に置く等の方法が用いられる。
【０００３】
また、従来の帽子用ラックとして、例えば特許文献１に開示されたものがある。特許文献１は図６に示すような帽子収納棚兼陳列棚を開示しており、この帽子収納棚兼陳列棚１００は、中心部に円形の開口１０１を有した４つの棚板１０２Ａ〜１０２Ｄと、棚板１０２Ｄの下方に配置された底板１０３と、棚板１０２Ａ〜１０２Ｄの各４隅に設けられた穴に通されると共にその結び目によって棚板１０２Ａ〜１０２Ｄ及び底板１０３を高さ方向に所定間隔に位置決めする２本の紐（又はチェーン）１０４Ａ，１０４Ｂと、棚板１０２Ａ〜１０２Ｄ及び底板１０３のそれぞれの上面の四隅に立設された棒状のスペーサ１０５とを備えて構成されている。
【０００４】
紐１０４Ａ，１０４Ｂは、通常、図６に示すように逆Ｖ字状のループにされた上端部を天井等に取り付けられたフック１０６に係着する。これによって、棚板１０２Ａ〜１０２Ｄのそれぞれに載せられた帽子及び棚板１０２Ａ〜１０２Ｄ及び底板１０３の自重によって引っ張られ、棚板１０２Ａ〜１０２Ｄ及び底板１０３の相互間に介在する紐１０４Ａ，１０４Ｂに弛みは生じない。また、棚板１０２Ｂ〜１０２Ｄから帽子を取り除き、フック１０６から紐１０４Ａ，１０４Ｂの上端を外してテーブル、床等に置けば、スペーサ１０６の４段分の高さ＋棚板１０２Ａ〜１０２Ｄ及び底板１０３の５枚分の厚み程度の高さを有するものとなり、保存状態の帽子収納棚兼陳列棚１００になる。なお、帽子収納棚兼陳列棚１００における帽子（図示せず）の収納は、棚板１０２Ａ〜１０２Ｄの開口１０１に帽子のクラウンが入るようにし、鍔部分が棚板表面に接するようにすればよい。
【先行技術文献】
【特許文献】
【０００５】
【特許文献１】実用新案登録第３０１０６８１号公報
【考案の概要】
【考案が解決しようとする課題】
【０００６】
しかし、従来の帽子収納棚兼陳列棚によると、各帽子は、棚板１０２Ａ〜１０２Ｄ及び底板１０３上に剥き出しのままであるため、室内の塵埃にさらされ易くなり、帽子が汚れ易くなる。また、帽子が日光に晒され易くるため、褪色し易くなる。したがって、個人が家庭で帽子の保管（収納）に用いるには適さない。
【０００７】
したがって、本考案の目的は、複数の帽子の収納及び移動が簡単に行えると共に防塵性を高めた帽子用ラックを提供することにある。
【課題を解決するための手段】
【０００８】
上記目的を達成するため、請求項１に記載の本考案は、上下方向に所定間隔に配設されると共に、それぞれの上面に帽子が収納される複数の仕切部と、前記複数の仕切部の上方に配置されると共に上面に吊り下げ用の部材が設けられた天板部と、前記天板部及び前記複数の仕切部を所定間隔に位置決めすると共に帽子の出し入れ口以外を閉鎖するように設けられた側壁部と、を有することを特徴とする帽子用ラックを提供する。
【０００９】
上記目的を達成するため、請求項２に記載の本考案は、請求項１に記載の帽子用ラックにおいて、前記天板部及び前記仕切部は、型崩れしない構造を有することを特徴とする。
【００１０】
上記目的を達成するため、請求項３に記載の本考案は、請求項１に記載の帽子用ラックにおいて、前記側壁部は、可撓性を有する素材からなることを特徴とする。
【００１１】
上記目的を達成するため、請求項４に記載の本考案は、請求項３に記載の帽子用ラックにおいて、前記可撓性を有する素材は、布、皮革及びビニールシートのうち、１種類以上を含むことを特徴とする。
【００１２】
上記目的を達成するため、請求項５に記載の本考案は、請求項１に記載の帽子用ラックにおいて、前記側壁部は、前記仕切部単位で前記仕切部に個別に設けられ、上下方向に相互に連結可能にされていることを特徴とする。
【考案の効果】
【００１３】
本考案の帽子用ラックによれば、複数の帽子の収納及び移動が簡単に行えると共に防塵性を高めることができる。
【図面の簡単な説明】
【００１４】
【図１】本考案の第１の実施例に係る帽子用ラックの圧縮時の状態を示す斜視図である。
【図２】図１に示す帽子用ラックを展開させた状態を示す斜視図である。
【図３】図１に示す帽子用ラックの使用時の状態を示す斜視図である。
【図４】本考案の第２の実施例に係る帽子用ラックの斜視図である。
【図５】図４に示す帽子用ラックの分解斜視図である。
【図６】従来の帽子用ラックを示す斜視図である。
【考案を実施するための形態】
【００１５】
本考案は、収納する帽子の出し入れ口以外を封鎖し、帽子の全体が空中に晒されないようにしたことで、収納された帽子に塵埃を付きにくくした。
【実施例】
【００１６】
［第１の実施例］
（帽子用ラックの構成）
図１は、本考案の第１の実施例に係る帽子用ラックの正面方向から見た折り畳み）の状態における斜視図、図２は、図１の帽子用ラックの正面方向から見た伸長状態における斜視図である。帽子用ラック１は、図２に示すように、天井面を成す天板部２と、収納面を成す仕切部３Ａ，３Ｂ，３Ｃと、正面の帽子出し入れ口を除いて仕切部３Ａ〜３Ｃの３面を覆うように設けられた側壁部４と、天板部２の上面に設けられた一対の把手５Ａ，５Ｂとを備えている。なお、仕切部３Ａ〜３Ｃは、任意の数にすることができる。
【００１７】
帽子用ラック１は、図２のように展開させたとき、天板部２によって帽子用ラック１の全体の形が規制される。したがって、天板部２は平板性を保持できる構成、例えば、剛性を有する素材、厚手の布、薄い布を数枚重ねて一体化した硬性等にすることが望ましい。そこで本実施では、例えば、厚紙、木の薄板、プラスチック板等を芯材にし、この芯材を綿、デニム等の布やビニールシートで覆った構成にしている。なお、芯材を覆う布やビニールシート等は、彩色無地、絵画、写真、イラスト、家紋等が入ったものを用いることができる。また、天板部２は皮革製であってもよい。
【００１８】
天板部２に設けられた一対の把手５Ａ，５Ｂは、帽子用ラック１の吊り下げ用部材であり、例えば布や皮革製であり、逆Ｖ字形や逆Ｕ字形を成すように設けられている。なお、把手５Ａ，５Ｂは、後述するように、使用時にはハンガー等が挿入される。そこで、把手５Ａ，５Ｂのそれぞれの一端が天板部２から着脱できるように、把手５Ａ，５Ｂの各一端にホック２０Ａ，２０Ｂが設けられている。
【００１９】
仕切部３Ａ〜３Ｃは、天板部２と同様に厚紙、薄板、プラスチック板等を芯材にし、この芯材を綿、デニム等の布で覆った構成、又は皮革である。この芯材を覆う布やビニールシート等は、天板部２と同様に彩色無地、絵画、写真、イラスト、家紋等が入ったものを用いることができる。なお、仕切部３Ａ〜３Ｃは、多少の形崩れ等を容認できる場合、芯材を用いない構成にすることができる。
【００２０】
側壁部４は、図１に示す様な形態と図２に示す様な形態とを自由に変換できるように、可撓性を有する柔らかい素材、例えば、綿、デニム等の布、薄手の皮革、ビニールシート等を裁断して用いている。図２の帽子用ラック１においては、天板部２の両側及び後面から１枚の素材を垂下させて側壁部４とし、その内側に仕切部３Ａ〜３Ｃを上下方向に所定間隔に縫い付けている。或いは、素材を仕切部３Ａ〜３Ｃ毎に両側面及び後面を囲む様に個別に裁断し、又は、仕切部毎に各側面及び後面用に３枚を裁断して上下方向に縫製して側壁部４を構成してもよい。
【００２１】
（帽子用ラックの使用方法）
図３は、帽子用ラックの使用時を示す斜視図である。図１〜図３を参照して帽子用ラックの使用方法について説明する。帽子用ラック１は、不使用時、店頭販売時等には、図１に示すように折り畳んだ状態にする。家庭等でラックとして使用するとき（即ち、帽子を収納するとき）、販売店が帽子用ラック１を商品見本で展示するとき等においては、図３に示すように、例えば、ハンガー２０の水平桟２２に把手５Ａ，５Ｂを掛け、ハンガー２０のフック２１を図６に示した様なフック１０６に掛ける。これにより、帽子用ラック１は、全体が図２及び図３のように展開してラックの形状になる。この状態においては、仕切部３Ａ〜３Ｃの各々の上方には、両側面及び後面の三面が閉鎖された空間が生じ、この空間内に帽子を収納することができる。
【００２２】
なお、把手５Ａ，５Ｂの係着対象は、ハンガー２０に限らず、他の部材、例えば、壁に取り付けられた帽子掛け、図５に示すように部屋の天井に取り付けられたフック等を用いてもよい。
【００２３】
［第１の実施例の効果］
第１の実施例によれば、仕切部３Ａ〜３Ｃの各々の上方に形成された各空間（収納スペース）は、三方（左側面、右側面及び後面）が側壁部４によって囲まれているため、収納された帽子に塵埃が付着しにくくなる。
【００２４】
また、帽子用ラック１は、布等の軽い素材を主体に構成できるため、軽量化を図ることができる。また、布等はプリント等が容易であるため、デザイン性に優れている。更に、折り畳めるようにしたため、持ち運び時、不使用になった後の保管等に際し、省スペース化を図ることができる。
【００２５】
［第２の実施例］
（帽子用ラックの構成）
図４は、本考案の第２の実施例に係る帽子用ラックの分解斜視図、図５は、図４に示す帽子用ラックの分解斜視図である。本実施例は、第１の実施例において、収納スペース（収納部）の増減が簡単に行えるようにしたものである。この構成では、１段分の収納部高さ寸法を有すると共に上方向から見てコ字状の側壁部６を天板部２に下側から一体化して第１の収納部１０とし、更に、側壁部６と同様の構成の側壁部７を仕切部３Ｃに上側から一体化して第２の収納部１１とし、これを第１の収納部１０に連結したものである。
【００２６】
第２の収納部１１は、その複数を後述する方法によって上下方向に相互に連結することができ、その連結数は後述するホックの強度等によって定まる。側壁部６，７は、側壁部４と同様の素材、例えば、布やビニールシート、薄手の皮革等を裁断して用いている。
【００２７】
第１の収納部１０と第２の収納部１１との連結、及び第２の収納部１１の相互の連結は、図４及び図５に示す様に両側面に設けた複数のホック８により行われる。このホック８は、複数（ここでは１２個）のバネ８１と、バネ８１を側壁部６，７の内側から側壁部６，７に固定する複数（ここでは６つ）のカシメ８２と、バネ８１の凹部に嵌合する凸部を有した複数（ここでは１２個）のゲンゴ８３と、ゲンゴ８３を側壁部６，７の内側から側壁部６，７に固定する複数（ここでは６つ）のホソ８４とから構成されている。ホック８は、製造メーカ等において、製造時に第１及び第２の収納部１０，１１の所定の位置に設けられている。なお、ホック８に代えて、例えば、スライドファスナー、面ファスナー等を用いることもできる。
【００２８】
（帽子用ラックの使用方法）
次に、図４及び図５を参照し、第２の実施例の帽子用ラックの使用方法を説明する。ここでは、収納部数が２つの場合について説明する。まず、ユーザは、図５に示すように、１つの第１の収納部１０と、必要とする収納部数に応じた数の第２の収納部１１とを用意する。まず、ユーザは、図４に示す様に、第２の収納部１１の上側に第１の収納部１０を位置決めする。次に、第１の収納部１０の下側部分を第２の収納部１１の上部に嵌入させ、第１の収納部１０のゲンゴ８３に第２の収納部１１のバネ８１を対向させる。ついで、ユーザは、第２の収納部１１のゲンゴ８３を順次対応する第１の収納部１０のバネ８１に嵌入させる。以上の操作により、図４に示す帽子用ラック１が完成する。
【００２９】
図４の構成の帽子用ラック１に更に第２の収納部１１を増設する場合、第１の収納部１０に取り付け済みの第２の収納部１１に対し、２つめの第２の収納部１１を上記したようにバネ８１にゲンゴ８３を嵌め込む操作を行えば、図２に示す帽子用ラック１と同様に収納部が３段の帽子用ラック１が完成する。更に、増設したい場合も上記した手順で行えばよい。
【００３０】
［第２の実施例の効果］
第２の実施例によれば、収納部毎に独立させ、第１の収納部１０に第２の収納部１１を必要な数だけ連結する構成により、収納したい帽子数に応じた収納部を有する帽子用ラック１にすることができる。更に、収納しない収納部が生じた場合には、その数に応じて第２の収納部１１を取り外せばよいため、帽子用ラック１の見栄えを良くすることができる。その他、第１の実施例と同様な効果が得られる。
【００３１】
なお、上記各実施例において、収納スペースを最大で３段としたが、任意の段数にすることができる。
【００３２】
また、上記実施例では、収納対象を帽子にしたが、帽子以外のもの、例えば、人形、ぬいぐるみ、玩具、眼鏡等の収納に用いることもできる。
【００３３】
また、帽子用ラック１の側壁部４，６，７は、布やビニールシートに代えて、全体をハードにした構成、例えば、上記した天板部２や仕切部３Ａ〜３Ｃと同様に、心材入りにしてもよい。
【００３４】
また、吊り下げ用の部材としての把手５Ａ，５Ｂは、他の形状、更には金具等であってもよい。
【符号の説明】
【００３５】
１      帽子用ラック
２      天板部
３Ａ    仕切部
３Ｂ    仕切部
３Ｃ    仕切部
４      側壁部
５Ａ    把手
５Ｂ    把手
６      側壁部
７      側壁部
８      ホック
１０    第１の収納部
１１    第２の収納部
２０    ハンガー
２０Ａ  ホック
２０Ｂ  ホック
２１    フック
２２    水平桟
８１    バネ
８２    カシメ
８３    ゲンゴ
８４    ホソ
【図１】
0003152630.tif 000003
【図２】
0003152630.tif 000004
【図３】
0003152630.tif 000005
【図４】
0003152630.tif 000006
【図５】
0003152630.tif 000007
【図６】
0003152630.tif 000008